【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
被術者の中空器官の内面に当てがって導入するように構成されている温度プローブにおいて、
細長い部材であって、
前記中空器官の内部へ挿入される遠位部分と、
前記遠位部分と反対側の前記細長い部材の端に隣接する近位部分とを含む細長い部材と、
複数の温度センサーが前記中空器官の内面に当てがって配置されているとき、略二次元配列を有する前記細長い部材の所定の区間に沿って配置されている前記複数の温度センサーであって、
前記細長い部材の長手方向に沿うｘ軸方向と直交するｙ軸方向に沿って前記細長い部材の直径を上回る第１距離だけ互いに離間する少なくとも２つの温度センサーと、
前記細長い部材の前記ｘ軸方向に沿って前記第１距離と同じか前記第１距離より長い第２距離だけ互いに離間する少なくとも２つの温度センサーとを含む、複数の温度センサーと、
前記複数の温度センサーと連絡するように構成されているモニターであって、前記モニタは複数の表示温度を提供する表示要素を含み、前記複数の表示温度が、前記略二次元配列を有する前記細長い部材の前記所定の区間に沿って配置されている前記複数の温度センサーの配置に対応するようなやり方で配置された状態で、前記複数の表示温度の各表示温度が、前記複数の温度センサーの対応する温度センサーによって監視された温度に対応する、モニターとを備える、温度プローブ。
【請求項２】
前記略二次元配列が、１０ｍｍから３０ｍｍの幅を有する、請求項１に記載の温度プローブ。
【請求項３】
前記略二次元配列が、４０ｍｍから８０ｍｍの長さを有する、請求項２に記載の温度プローブ。
【請求項４】
前記複数の温度センサーが、前記略二次元配列にわたって分布している３つ又はそれ以上の温度センサーを備える、請求項１に記載の温度プローブ。
【請求項５】
前記略二次元配列が、蛇行状形態を有する、請求項１に記載の温度プローブ。
【請求項６】
前記略二次元配列が、前記中空器官の内部の断面形状を実質的に変形させること無く、前記中空器官の内部に納まるように構成されている、請求項１乃至５の何れか１項に記載の温度プローブ。
【請求項７】
前記複数の温度センサーの各温度センサーが、特定の場所の一つの温度を感知するように構成された単一要素を含む、請求項１乃至６の何れか１項に記載の温度プローブ。
【請求項８】
前記複数の温度センサーの各温度センサーは、複数の温度感知要素であって、それぞれの温度感知要素が異なる温度を感知及び報告して、特定の場所の正確な温度読み取りを提供することができる、複数の温度感知要素を含む、請求項１乃至６の何れか１項に記載の温度プローブ。
【請求項９】
前記表示要素が、高感知温度と低感知温度のうちの少なくとも一方の表示値とは別の視覚信号を提供する、請求項１に記載の温度プローブ。
【請求項１０】
前記表示要素が、監視対象組織の温度が変化する速度を表す、請求項１又は９に記載の温度プローブ。
【手続補正２】
【補正対象書類名】明細書
【補正対象項目名】００１８
【補正方法】変更
【補正の内容】
【００１８】
本願発明の実施形態は、例えば、以下の如くである。
［実施形態１］  器官の内面に当てがって導入するように構成されている温度プローブにおいて、
細長い部材であって、
被術者の中空器官の内部へ挿入される遠位部分であって前記中空器官の内部に在るときは略二次元配列を有するように構成されている遠位部分において、前記略二次元配列は、前記細長い部材の長さの残り部分と同一の長さと、前記細長い部材の幅を上回る幅と、前記細長い部材及び前記細長い部材の前記遠位部分により担持されている任意の追加の要素とほぼ同厚さの厚さとを有している、遠位部分と、
前記細長い部材の、前記遠位部分と反対側の端に隣接する近位部分であって、前記被術者の身体の外部の器械と連絡するように構成されている近位部分と、を含んでいる細長い部材と、
前記遠位部分が前記略二次元配列にあるときは、エリアアレイに亘って配列されるように前記遠位部分により担持されている複数の温度センサーであって、前記エリアアレイが、横方向（Ｘ軸）に互いから前記細長い部材の幅を上回る第１距離だけ離間されている少なくとも２つのセンサーと、縦方向（ｙ軸）に互いから少なくとも前記第１距離ほどの長さの第２距離だけ離間されている少なくとも２つのセンサーを含んでいる、複数の温度センサーと、を備えている温度プローブ。
［実施形態２］
前記細長い部材の前記遠位部分の少なくとも当該部分の前記略二次元区間と前記遠位部分により担持されている前記複数の温度センサーとの組合せ幅は、前記中空器官の内部の断面形状を実質的に変形させること無く、前記中空器官の内部に納まるように構成されている、実施形態１に記載の温度プローブ。
［実施形態３］
前記細長い部材の前記遠位部分は単一要素を含んでいる、実施形態１に記載の温度プローブ。
［実施形態４］
前記細長い部材の前記遠位部分の少なくとも当該部分は、蛇行状形態、ループ状形態、及び螺旋状形態のうちの少なくとも１つを備えた略二次元配列を有するように構成されている、実施形態３に記載の温度プローブ。
［実施形態５］
前記略二次元配列の幅は、前記二次元配列の２つの横方向に分岐した部分の間の横方向（ｘ軸）の距離に対応している、実施形態４に記載の温度プローブ。
［実施形態６］
前記略二次元配列の幅は、前記遠位部分の少なくとも２つの隣接して配置されている離間した部分の間の距離に対応している、実施形態４に記載の温度プローブ。
［実施形態７］
前記細長い部材の前記遠位部分は、少なくとも２つの実質的に平行な細長い要素であって、各々が少なくとも１つの温度センサーを担持しており、少なくとも１つは複数の温度センサーを担持している、少なくとも２つの細長い要素を含んでいる、実施形態１に記載の温度プローブ。
［実施形態８］
前記複数の実質的に細長い要素はループを形成している、実施形態７に記載の温度プローブ。
［実施形態９］
実施形態１から８の何れか１項に記載の温度プローブを被術者の体内へ導入するための方法において、
前記温度プローブに略直線状形態を提供する段階と、
前記温度プローブの遠位部分を前記被術者の体内へ導入する段階と、
前記温度プローブが前記被術者の体内に設置された状態で、前記温度プローブの一区間に、複数の温度センサーが或る面積に亘って点在する略二次元配列を付与する段階と、を備えている方法。
［実施形態１０］
前記温度プローブの前記区間に前記略二次元配列を付与する段階は、前記温度プローブの前記区間を弛緩状態に戻らせる段階を備えている、実施形態９に記載の方法。
［実施形態１１］
前記温度プローブに前記略直線状形態を提供する段階は、前記温度プローブの前記遠位部分を前記被術者の体内へ導入する間、前記温度プローブの前記区間を略直線状形態に拘束する段階を備えている、実施形態１０に記載の方法。
［実施形態１２］
前記温度プローブの前記区間に前記略二次元配列を付与する段階は、前記区間が前記被術者の体内に置かれた後、前記温度プローブの前記区間を前記略二次元配列に成形する段階を備えている、実施形態９に記載の方法。
［実施形態１３］
前記温度プローブの前記区間を前記略二次元形態に成形する段階は、機械的に行われる、実施形態９に記載の方法。
［実施形態１４］
被術者を治療するための方法において、
前記被術者の第１の器官を温熱又は冷熱で治療する段階と、
隣接する第２の器官の内部の或る面積に亘って温度を監視する段階であって、前記第２の器官の形状を改変すること無く、又は前記第２の器官と前記第１の器官の間の接触を増やしたり間隔を狭めたりすること無く監視する段階と、を備えている方法。
［実施形態１５］
前記温度を監視する段階は、前記第２の器官を損傷を受ける温度にまで加熱又は冷却するのを防止する段階を含んでいる、実施形態１４に記載の方法。
［実施形態１６］
前記第１の器官を治療する段階は、心房細動を備えており、
前記第２の器官の内面の前記面積に亘って温度を監視する段階は、食道の内面の或る面積に亘って温度を監視して、食道瘻の形成を防ぐ段階を備えている、実施形態１４に記載の方法。
［実施形態１７］
実施形態１から８の何れか１項に記載の温度プローブにより、被術者の身体の組織の表面に亘って複数の場所で感知された温度を表示するためのモニターにおいて、複数の表示温度を、前記温度プローブの前記略二次元配列に散らばる温度センサーの配列に対応する配列に配する表示要素を備えているモニター。
［実施形態１８］
前記表示要素は、高感知温度と低感知温度のうちの少なくとも一方の表示値とは別の視覚信号を提供する、実施形態１７に記載のモニター。
［実施形態１９］
前記表示要素は、監視対象組織の温度が変化する速度を表す、実施形態１７に記載のモニター。
当業者には、次の詳細な説明、添付図面、及び付随の特許請求の範囲を考察することにより、本発明の他の態様、並びに様々な特徴及び利点が明らかになるであろう。